(57)【要約】【解決手段】部屋の天井に所定間隔をもって複数個配置してなるアンテナと、アンテナに関連付けられた複数台の照明と、利用者が所持し、照明のオン又はオフを指示する第一のモードと通信対象のアンテナに対して割付又は割付解除を指示する第二のモードのいずれかのモードに切り替え可能なモード切替手段と、照明のオン、オフ、割付又は割付解除のいずれかの指示内容を入力する入力手段と、入力があったときに指示内容及び内部に記憶された識別信号を送信する送信手段とを備えた携帯端末と、指示内容及び識別信号を読み取る読取手段と、読取手段より読み取られた識別信号と予め記憶した識別信号とを比較することにより認証を行う認証手段と、認証が成功したときに、指示内容に基づいて、照明をオン、オフ、通信対象のアンテナの割付又は割付解除のいずれかに制御する制御手段と、を備えたことを特徴とする。【選択図】          図１
2015088345.tif 000002
【特許請求の範囲】
【請求項１】
部屋の天井に所定間隔をもって複数個配置してなるアンテナと、
前記アンテナに関連付けられた複数台の照明と、
利用者が所持し、前記照明のオン又はオフを指示する第一のモードと通信対象のアンテナに対して割付又は割付解除を指示する第二のモードのいずれかのモードに切り替え可能なモード切替手段と、前記照明のオン、オフ、前記割付又は前記割付解除のいずれかの指示内容を入力する入力手段と、前記入力があったときに前記指示内容及び内部に記憶された識別信号を送信する送信手段とを備えた携帯端末と、
前記指示内容及び前記識別信号を読み取る読取手段と、
前記読取手段より読み取られた前記識別信号と予め記憶した識別信号とを比較することにより認証を行う認証手段と、
前記認証が成功したときに、前記指示内容に基づいて、前記照明をオン、オフ、前記通信対象のアンテナの割付又は割付解除のいずれかに制御する制御手段と、を備えたことを特徴とする動態管理システム。
【請求項２】
前記入力手段は、押している間にのみオンとなり、それ以外ではオフとなる少なくとも２個のボタンが含まれ、前記第一のモード時には、一方のボタンのオンにより前記照明のオンを指示するとともに、他方のボタンのオンにより前記照明のオフを指示し、前記第二のモード時には、一方のボタンのオンにより前記通信対象のアンテナ割付を指示し、他方のボタンのオンにより前記通信対象のアンテナ割付解除を指示することを特徴とする請求項１記載の動態管理システム。
【請求項３】
前記モード切替手段は、押している間にのみオンとなり、それ以外ではオフとなる少なくとも２個のボタンが含まれ、前記２個のボタンを同時に押すことによりモード切替が実行されることを特徴とする請求項１−２いずれかに記載の動態管理システム。
【請求項４】
前記モード切替手段は、押している間にのみオンとなり、それ以外ではオフとなる少なくとも２個のボタンが含まれ、前記２個のボタンを所定時間同時に押すことによりモード切替が実行されることを特徴とする請求項１−２いずれかに記載の動態管理システム。
【請求項５】
前記モード切替手段は、押している間にのみオンとなり、それ以外ではオフとなる少なくとも２個のボタンが含まれ、前記２個のボタンをいずれかを所定時間同時に押すことによりモード切替が実行されることを特徴とする請求項１−２いずれかに記載の動態管理システム。
【請求項６】
前記入力手段は、押している間にのみオンとなり、それ以外ではオフとなるボタンで１個のボタンが含まれ、前記第一のモード時には、前記ボタンの奇数回のオンにより前記照明のオンを指示するとともに、前記ボタンの偶数回のオンにより前記照明のオフを指示し、前記第二のモード時には、前記ボタンの奇数回のオンにより前記通信対象のアンテナ割付を指示し、前記ボタンの偶数回のオンにより前記通信対象のアンテナ割付解除を指示することを特徴とする請求項１記載の動態管理システム。
【請求項７】
前記モード切替手段は、前記ボタンを所定時間押すことにより実行されることを特徴とする請求項６に記載の動態管理システム。
【請求項８】
前記モード切替手段は、通常は第一のモードに設定されるとともに、第二のモードへのモード切替後、所定時間で自動的に第一のモードに戻ることを特徴とする請求項６に記載の動態管理システム。
【発明の詳細な説明】
【技術分野】
【０００１】
この発明は、ＲＦＩＤ（Ｒａｄｉｏ  Ｆｒｅｑｕｅｎｃｙ  Ｉｄｅｎｔｉｆｉｃａｔｉｏｎ）タグを用いた動態管理システムに関するものである。
【背景技術】
【０００２】
従来の動態管理システムにおいては、タグを携帯した利用者の所在地（位置情報）を自動的に検出する。さらに、自動検出されたタグの位置情報を基に、利用者が自席アンテナ内に入ると照明を自動点灯し、圏外になると自動消灯する照明制御を行っている（例えば、特許文献１、２参照）。
【先行技術文献】
【特許文献】
【０００３】
【特許文献１】特開２００６−３４２９７８号公報
【特許文献２】特開２０００−０３５２４２号公報
【発明の概要】
【発明が解決しようとする課題】
【０００４】
従来のエレベータ制御装置においては、タグと自席アンテナの割付作業は専用パソコン等から行うものであり、システム管理者が代行して実施する必要があった。これはシステム導入時だけでなく、座席変更やレイアウト変更時にも実施する必要があるため、システム管理者にとってこの割付作業は負荷が大きいものであるという問題点があった。
【課題を解決するための手段】
【０００５】
本発明にかかる動態管理システムにおいては、部屋の天井に所定間隔をもって複数個配置してなるアンテナと、アンテナに関連付けられた複数台の照明と、利用者が所持し、照明のオン又はオフを指示する第一のモードと通信対象のアンテナに対して割付又は割付解除を指示する第二のモードのいずれかのモードに切り替え可能なモード切替手段と、照明のオン、オフ、割付又は前記割付解除のいずれかの指示内容を入力する入力手段と、入力があったときに指示内容及び内部に記憶された識別信号を送信する送信手段とを備えた携帯端末と、指示内容及び識別信号を読み取る読取手段と、読取手段より読み取られた識別信号と予め記憶した識別信号とを比較することにより認証を行う認証手段と、認証が成功したときに、指示内容に基づいて、照明をオン、オフ、通信対象のアンテナの割付又は割付解除のいずれかに制御する制御手段と、を備えたことを特徴とする。
【発明の効果】
【０００６】
この発明にかかるエレベータ制御装置は、上記の構成としたので、タグを携帯する本人が自席アンテナへの登録作業を行うことができるので、システム導入時、座席変更時、レイアウト変更時にも適時に再登録を行うことが可能となり、システム管理者の作業負荷を軽減乃至なくすことができるという効果がある。
【図面の簡単な説明】
【０００７】
【図１】この発明の実施の形態１−３における動態管理システムの一構成図である。
【図２】この発明の実施の形態１における動態管理システムのフローチャートである。
【図３】この発明の実施の形態２における動態管理システムのフローチャートである。
【図４】この発明の実施の形態３における動態管理システムのフローチャートである。
【図５】この発明の実施の形態４における動態管理システムの一構成図である。
【図６】この発明の実施の形態４における動態管理システムのフローチャートである。
【図７】この発明の実施の形態５における動態管理システムの一構成図である。
【図８】この発明の実施の形態５における動態管理システムのフローチャートである。
【発明を実施するための形態】
【０００８】
実施の形態１
以下、この発明の実施形態１を図１及び図２を用いて説明する。
【０００９】
図１は、この発明の実施の形態１における動態管理システムの一構成を示すものである。図１において、タグ（１００）は、利用者が入力を行う入力部（１１０）、利用者の入力に基づいて、照明オン、オフ、通信対象のアンテナの割付及び割付解除を指示する指令生成部（１２０）、これらいずれかの指令と識別情報（ＩＤ情報；Ｉｄｅｎｔｉｆｉｃａｔｉｏｎ情報）を送信する送信部（１３０）を備えている。
【００１０】
入力部（１１０）は、押している間のみオンとなり、それ以外ではオフとなる２つの個別に設けられたボタンであるボタン１（１１１）とボタン２（１１２）を備えている。
【００１１】
また、指令生成部（１２０）は、入力部（１１０）からの入力を判定する入力判定部（１２１）、入力判定結果に基づいて、照明のオン又はオフを指令する第一のモードと通信対象のアンテナに対して割付又は割付解除を指令する第二のモードのいずれかのモードに切り替え可能なモード切替部（１２２）、通信対象のアンテナへの割付指令を生成する割付指令生成部（１２３）、照明への制御指令を生成する生成する照明指令生成部（１２４）を備えている。
【００１２】
アンテナ（２００、２３０、２６０）は、電波の放射により通信可能となる在圏範囲（２１０、２４０、２７０）を形成しており、タグ（１００）から送信された指令情報とＩＤ情報を読み取る読取部（２２０，２５０，２８０）を備えている。
【００１３】
制御装置（３００）は、読取部（２２０、２５０、２８０）で読み取られたＩＤ情報と予め内部に記憶したＩＤ情報を比較することにより認証を行う認証部（３１０）、認証が成功したときに、指令情報を抽出する指令情報抽出部（３２０）、抽出した指令に基づいて、アンテナの割付を制御するアンテナ割付制御部（３３０）及び照明の制御を行う照明制御部（３４０）を備えている。
【００１４】
指令情報抽出部（３２０）は、照明オン指令を抽出する照明オン指令抽出部（３２１）、照明オフ指令を抽出する照明オフ指令抽出部（３２２）、通信対象のアンテナ割付指令を抽出する割付指令抽出部（３２３）、通信対象のアンテナ割付解除指令を抽出する割付解除指令抽出部（３２４）を備えている。
【００１５】
また、アンテナ割付制御部（３３０）は、通信対象のアンテナへの割付制御を行う割付制御部（３３１）、通信対象のアンテナへの割付解除制御を行う割付解除制御部（３３２）を備えている。
【００１６】
更に、照明制御部（３４０）は照明をオンに制御する照明オン制御部（３４１）、照明をオフに制御する照明オフ制御部（３４２）を備えている。
【００１７】
アンテナ（２００）の通信可能となる在圏範囲（２１０）には、照明（４００ａ、４００ｂ、４００ｃ、４００ｄ）が関連付けられており、照明・アンテナ制御部（３４０）より照明オン制御を受けた場合には、照明（４００ａ、４００ｂ、４００ｃ、４００ｄ）は点灯（オン）状態となり、照明オフ制御を受けた場合には、照明（４００ａ、４００ｂ、４００ｃ、４００ｄ）は消灯（オフ）状態となる。また、照明・アンテナ制御部（３４０）より割付制御を受けた場合には、認証されたＩＤ情報には、照明（４００ａ、４００ｂ、４００ｃ、４００ｄ）の割付が行われ、割付解除制御を受けた場合には、認証されたＩＤ情報から、照明（４００ａ、４００ｂ、４００ｃ、４００ｄ）の割付が解除される。
【００１８】
なお、周知のように、アンテナ（２００）は通信可能となる在圏範囲（２１０）を形成するためのＬＦ信号送信部（図示せず）を備えている。
【００１９】
タグ（１００）は、アンテナ（２００）の通信可能となる在圏範囲（２１０）に入った場合にＬＦ信号受信部（図示せず）でＬＦ信号を受信することにより起動して、ＩＤ情報を送信部（１３０）からアンテナ（２００）の読取部（２２０）に向けて送信する。
【００２０】
タグ（１００）は、アンテナ（２３０）の在圏範囲（２４０）に入った場合も同様に、ＬＦ信号受信部（図示せず）でＬＦ信号を受信することにより起動して、ＩＤ情報を送信部（１３０）からアンテナ（２３０）の読取部（２５０）に向けて送信する。
【００２１】
タグ（１００）は、アンテナ（２６０）の在圏範囲（２７０）に入った場合も同様に、ＬＦ信号受信部（図示せず）でＬＦ信号を受信することにより起動して、ＩＤ情報を送信部（１３０）からアンテナ（２６０）の読取部（２８０）に向けて送信する。
【００２２】
次に、この発明の実施の形態１における動作について図２を用いて説明する。
【００２３】
図２において、Ｓ１では、タグ（１００）の入力判定部（１２１）において、ボタン１（１１１）かボタン２（１１２）いずれかのボタン操作の有無を判断し、いずれかのボタン操作がある場合はＳ２に進み、いずれのボタン操作もない場合は処理を終了する。
【００２４】
Ｓ２では、入力判定部（１２１）において、ボタン１（１１１）とボタン２（１１２）が同時に押下されたかを判断し、同時に押下された場合にはモード切替部（１２２）でアンテナ割付又は割付解除指令を生成する第二のモードに切り替えられ、Ｓ３に進む。、それ以外の場合にはモード切替部で照明のオン又はオフの指令を生成する第一のモードに切り替えられ、Ｓ１６に進む。
【００２５】
Ｓ３では、１秒以上経過したかを判定し、１秒以上経過した場合はＳ４に進み、経過していない場合はＳ３に戻る。これはＳ２の操作と次のＳ４の操作との間に所定の時間を空けることにより、例えばＳ２でボタン同時押しを行った後、ボタン２を先に離すことによりＳ４がＹｅｓと判断されてしまう誤動作を防ぐためである。
【００２６】
Ｓ４では、再び入力部（１１０）において入力を受け付け、ボタン１（１１１）が押下されたかを判断し、押下されたらＳ５に進み、押下されなければＳ１０に進む。
【００２７】
Ｓ５では、指令生成部（１２０）の割付指令生成部（１２３）により、通信対象のアンテナの割付指令を行う割付指令情報が生成され、Ｓ６に進む。
【００２８】
Ｓ６では、割付指令生成部（１２３）により生成された割付指令情報とＩＤ情報とを送信部（１３０）から送信し、Ｓ７に進む。
【００２９】
Ｓ７では、読取部（２５０）において、タグ（１００）から送信された割付指令情報とＩＤ情報とを読み取り、Ｓ８に進む。
【００３０】
Ｓ８では、認証部（３１０）において、読取部（２５０）で読み取られたＩＤ情報と、予め記憶したＩＤ情報とに基づいて認証を行う。例えば、読み取られたＩＤ情報と予め記憶したＩＤ情報とを比較し、一致した場合には認証成功と判断し、そうでない場合は認証失敗と判断する。認証成功と判断した場合はＳ９に進み、認証失敗と判断した場合は、処理を終了する。
【００３１】
Ｓ９では、指令抽出部（３２０）において、認証部（３１０）による認証が成功であり、かつ指令情報が割付指令情報であることから、割付指令抽出部（３２３）から割付指令情報が抽出され、アンテナ割付制御部（３３０）において、割付制御部（３３１）による制御が選択され、認証部（３１０）で認証されたＩＤ情報に対して、アンテナ（２００）を自席アンテナとして割付を行い、処理を終了する。これにより利用者の所持するタグ（１００）にはアンテナ２００が割り付けられ、照明４００ａ、４００ｂ、４００ｃ、４００ｄが関連付けられる。すなわち、自席に近づいたときに照明をオンすることができ、後述するボタン操作により照明のオンオフを制御することができるようになる。
【００３２】
Ｓ１０では、入力判定部（１２１）において、ボタン２（１１２）が押下されたかを判断し、押下されたらＳ１１に進み、押下されなければ処理を終了する。
【００３３】
Ｓ１１では、指令生成部（１２０）の割付指令生成部（１２３）により、割付解除指令情報が生成され、Ｓ１２に進む。
【００３４】
Ｓ１２では、割付指令生成部（１２３）により生成された割付解除指令情報とＩＤ情報とを送信部（１３０）から送信し、Ｓ１３に進む。
【００３５】
Ｓ１３では、読取部（２５０）において、タグ（１００）から送信された割付解除指令情報とＩＤ情報とを読み取り、Ｓ１４に進む。
【００３６】
Ｓ１４では、認証部（３１０）において、読取部（２５０）で読み取られたＩＤ情報と、予め記憶したＩＤ情報とに基づいて認証を行う。例えば、読み取られたＩＤ情報と予め記憶したＩＤ情報とを比較し、一致した場合には認証成功と判断し、そうでない場合は認証失敗と判断する。認証成功と判断した場合はＳ１５に進み、認証失敗と判断した場合は、処理を終了する。
【００３７】
Ｓ１５では、指令抽出部（３２０）において、認証部（３１０）による認証が成功であり、かつ指令情報が割付指令情報であることから、割付解除指令抽出部（３２４）から割付解除指令情報が抽出され、アンテナ割付制御部（３３０）において、割付解除制御部（３３２）による制御が選択され、認証部（３１０）で認証されたＩＤ情報に対して、アンテナ（２００）を自席アンテナから割付解除を行い、処理を終了する。これにより利用者の所持するタグ（１００）にはアンテナ２００から割付が解除され、照明４００ａ、４００ｂ、４００ｃ、４００ｄの関連付けが解除される。すなわち、通信対象のアンテナに近づいたときに照明オンは行われず、後述するボタン操作による照明のオンオフ制御することも行われなくなる。
【００３８】
Ｓ１６では、再び入力部（１１０）において入力を受け付け、入力判定部（１２１）において、ボタン１（１１１）が押下されたかを判断し、押下されたらＳ１７に進み、押下されなければＳ２２に進む。
【００３９】
Ｓ１７では、指令生成部（１２０）の照明指令生成部（１２４）により、照明オン指令情報が生成され、Ｓ１８に進む。
【００４０】
Ｓ１８では、照明指令生成部（１２４）により生成された照明オン指令情報とＩＤ情報とを送信部（１３０）から送信し、Ｓ１９に進む。
【００４１】
Ｓ１９では、読取部（２５０）において、タグ（１００）から送信された照明オン指令情報とＩＤ情報とを読み取り、Ｓ２０に進む。
【００４２】
Ｓ２０では、認証部（３１０）において、読取部（２５０）で読み取られたＩＤ情報と、予め記憶したＩＤ情報とに基づいて認証を行う。例えば、読み取られたＩＤ情報と予め記憶したＩＤ情報とを比較し、一致した場合には認証成功と判断し、そうでない場合は認証失敗と判断する。認証成功と判断した場合はＳ２１に進み、認証失敗と判断した場合は、処理を終了する。
【００４３】
Ｓ２１では、指令抽出部（３２０）において、認証部（３１０）による認証が成功であり、かつ指令情報が照明オン情報であることから、照明オン指令抽出部（３２１）から照明オン指令情報が抽出され、照明制御部（３４０）において、照明オン制御部（３４１）による制御が選択され、照明オン制御部（３４１）により照明をオンに制御し、処理を終了する。すなわち、通信対象のアンテナが自席であれば、このアンテナに関連付けられた自席照明である４００ａ、４００ｂ、４００ｃ、４００ｄの照明が点灯（オンに制御）される。
【００４４】
Ｓ２２では、タグ（１００）のボタン２（１１２）が押下されたかを判断し、押下されたらＳ２３に進み、押下されなければ処理を終了する。
【００４５】
Ｓ２３では、指令生成部（１２０）の照明指令生成部（１２４）により、照明オフ指令情報が生成され、Ｓ２４に進む。
【００４６】
Ｓ２４では、照明指令生成部（１２４）により生成された照明オフ指令情報とＩＤ情報とを送信部（１３０）から送信し、Ｓ２５に進む。
【００４７】
Ｓ２５では、読取部（２５０）において、タグ（１００）から送信された照明オフ指令情報とＩＤ情報とを読み取り、Ｓ２６に進む。
【００４８】
Ｓ２６では、認証部（３１０）において、読取部（２５０）で読み取られたＩＤ情報と、予め記憶したＩＤ情報とに基づいて認証を行う。例えば、読み取られたＩＤ情報と予め記憶したＩＤ情報とを比較し、一致した場合には認証成功と判断し、そうでない場合は認証失敗と判断する。認証成功と判断した場合はＳ２７に進み、認証失敗と判断した場合は、処理を終了する。
【００４９】
Ｓ２７では、指令抽出部（３２０）において、認証部（３１０）による認証が成功であり、かつ指令情報が照明オフ情報であることから、照明オフ指令抽出部（３２２）から照明オフ指令情報が抽出され、照明制御部（３４０）において、照明オフ制御部（３４２）による制御が選択され、照明オフ制御部（３４２）により照明をオフに制御し、処理を終了する。すなわち、通信対象のアンテナが自席であれば、このアンテナに関連付けられた自席照明である４００ａ、４００ｂ、４００ｃ、４００ｄの照明が消灯（オフに制御）される。
【００５０】
以上の様に、本実施の形態１によれば、タグを携帯する本人が自席アンテナの登録作業をおこなうことができるので、システム導入時、座席変更時、レイアウト変更時にも適時に再登録を行うことが可能となり、システム管理者の作業負荷を軽減乃至なくすことができるという効果がある。
【００５１】
上記説明において、Ｓ３では１秒としたが、数値は一例に過ぎず、予め決められた時間であればそれより長くても短くても構わない。
【００５２】
また、本発明の実施の形態において、ボタン１を通信中のアンテナへの割付としたが、ボタン２を用いても良く、ボタン２を通信中のアンテナからの割付解除としたが、ボタン１を用いても良い。すなわち２つのボタンの機能の組合せを変えても本実施の形態と同様の効果を奏する。
【００５３】
更に、ボタンを３つ以上とし、ボタン１とボタン２同時押しの代わりに用いるようにしても構わない。
【００５４】
また、本発明の実施の形態１では、照明が複数あるように説明したが一つだけであっても良い。
【００５５】
また、認証するＩＤ情報に、好みの照明の明るさを関連付けて記憶するようにすれば、照明の点灯時に好みの明るさとなるように制御することができ、個人の嗜好に合わせた制御を行うことができる。
【００５６】
更に、認証するＩＤ情報に、複数の照明の少なくとも１つを選択して記憶するようにすれば、照明の点灯時に好みの照明のみを選択して制御することができ、個人の嗜好に合わせた制御を行うことができる。
【００５７】
更に、照明の代わりに空調を用いても良く、照明と空調の両方を用いても良い。
【００５８】
認証するＩＤ情報に、好みの温度を関連付けて記憶するようにすれば、空調のオン時に好みの温度となるように制御することができ、個人の嗜好に合わせた制御を行うことができる。
【００５９】
その他、構成の一部を変形しても、また一部を省略してもよく、本実施の形態と同様の効果を奏するものと考えられる。
【００６０】
実施の形態２
実施の形態１では、タグ（１００）のボタン１（１１１）とボタン２（１１２）が同時に押下された場合に割付・割付解除指令が行われる構成を示したが、両方のボタンの押下状態が所定時間続いた場合に第二のモードに切り替えるようにしても良い。このように構成した実施の形態２を以下、図１及び図３を用いて説明する。なお、説明が重複する部分は適宜省略する。
【００６１】
図１は、この発明の実施の形態２における動態管理システムの一構成を示すものである。図１の構成は実施の形態１と同じであるため、説明を省略する。
【００６２】
次に、この発明の実施の形態２における動作について図３を用いて説明する。
【００６３】
図３において、Ｓ１では、入力判定部（１２１）においてボタン１（１１１）かボタン２（１１２）いずれかのボタン操作の有無を判断し、いずれかのボタン操作がある場合はＳ２８に進み、いずれのボタン操作もない場合は処理を終了する。
【００６４】
Ｓ２８では、入力判定部（１２１）において、ボタン１（１１１）とボタン２（１１２）が同時に３秒間押下されたかを判断し、同時に３秒間押下された場合にはモード切替部（１２２）でアンテナ割付又は割付解除指令を生成する第二のモードに切り替えられ、Ｓ３に進む。それ以外の場合にはモード切替部で照明のオン又はオフの指令を生成する第一のモードに切り替えられ、Ｓ１６に進む。
【００６５】
Ｓ３からＳ２７については実施の形態１と同じであるので説明を省略する。
【００６６】
以上の様に、本実施の形態では、ボタン１と２の押下が３秒継続した場合に割付・割付解除指令が行われるようにしたので、実施の形態１と同様の効果を奏する。また、３秒間継続しない場合には、登録モードに移行しないことから、むやみに登録モードに移行することを防ぐことができるため、誤った操作により自席アンテナを登録、登録解除してしまうことを防ぐことができる。
【００６７】
なお、３秒という数値は一例に過ぎず、予め決められた値であれば３秒より長くても短くても構わない。また、ＩＤ情報と関連付けて、好みの時間を設定するようにしても良い。
【００６８】
実施の形態３
上記実施の形態１−２では、タグ（１００）のボタン１（１１１）とボタン２（１１２）が押下された場合に割付・割付解除指令を行う構成を示したが、ボタン１（１１１）かボタン２（１１２）のいずれかが押下され、かつ、その状態が所定時間続いた場合に第二のモードに切り替えるようにしても良い。このように構成した実施の形態３を以下、図１及び図４を用いて説明する。なお、説明が重複する部分は適宜省略する。
【００６９】
図１は、この発明の実施の形態２における動態管理システムの一構成を示すものである。図１の構成は実施の形態１と同じであるため、説明を省略する。
【００７０】
次に、この発明の実施の形態３における動作について図４を用いて説明する。
【００７１】
図４において、Ｓ１では、入力判定部（１２１）において、ボタン１（１１１）かボタン２（１１２）いずれかのボタン操作の有無を判断し、いずれかのボタン操作がある場合はＳ２９に進み、いずれのボタン操作もない場合は処理を終了する。
Ｓ２９では、タグ（１００）のボタン１（１１１）かボタン２（１１２）のいずれかが３秒間押下されたかを判断し、３秒間押下された場合にはＳ３に進み、それ以外の場合にはＳ１６に進む。
【００７２】
Ｓ１３からＳ２７については、実施の形態１と同じであるので説明を省略する。
【００７３】
以上の様に、本実施の形態では、ボタン１又は２の押下が３秒継続した場合に割付・割付解除指令を行うようにしたので、実施の形態２と同様の効果を奏する。また、片方のボタンのみの操作で良いため、むやみに登録モードに移行することを防ぎつつも実施の形態２に比べて操作性が向上している。
【００７４】
実施の形態４
上記実施の形態１−３では、タグ（１００）がボタン１（１１１）とボタン２（１１２）を備える構成を示したが、ボタン１（１１１）のみを備える構成で、押下時間により割付・割付解除指令を行うとともに、押下回数が奇数の場合に割付制御、押下回数が偶数の場合に割付解除制御を行うように構成しても良い。このように構成した実施の形態４を以下、図５及び図６を用いて説明する。なお、説明が重複する部分は適宜省略する。
【００７５】
図５は、この発明の実施の形態４における動態管理システムの一構成を示すものである。図５の構成は、タグ（１００）にボタン２（１１２）を備えていないこと以外は実施の形態２と同じであるため、説明を省略する。
【００７６】
次に、この発明の実施の形態４における動作について図６を用いて説明する。
【００７７】
図６において、Ｓ１では、入力判定部（１２１）において、ボタン１（１１１）のボタン操作の有無を判断し、ボタン操作がある場合はＳ３０に進み、ボタン操作がない場合は処理を終了する。
【００７８】
Ｓ３０では、タグ（１００）のボタン１（１１１）が３秒間押下されたかを判断し、３秒間押下された場合にはＳ３に進み、それ以外の場合にはＳ３３に進む。
【００７９】
Ｓ３は実施の形態１と同じなので省略する。
【００８０】
Ｓ３１では、ボタン１（１１１）の押下回数が奇数回であるかを判断し、奇数回であればＳ５に進み、奇数回でなければＳ３２に進む。例えばボタン１が１回押されていれば、奇数回であるのでＳ５に進むこととなり、ボタン１が２回押されていれば、偶数回であるのでＳ３２に進むこととなる。
【００８１】
Ｓ５からＳ９については実施の形態１と同じであるので説明を省略する。
【００８２】
Ｓ３２では、ボタン１（１１１）の押下回数が偶数回であるかを判断し、偶数回であればＳ１１に進み、偶数回でなければ処理を終了する。
【００８３】
Ｓ１１からＳ１５については実施の形態１と同じであるので説明を省略する。
【００８４】
Ｓ３３では、ボタン１（１１１）の押下回数が奇数回であるかを判断し、奇数回であればＳ１７に進み、奇数回でなければＳ３４に進む。
【００８５】
Ｓ１７からＳ２１については実施の形態１と同じであるので説明を省略する。
【００８６】
Ｓ３４では、ボタン１（１１１）の押下回数が偶数回であるかを判断し、偶数回であればＳ１１に進み、偶数回でなければ処理を終了する。
【００８７】
Ｓ２３からＳ２７については実施の形態１と同じであるので説明を省略する。
【００８８】
以上の様に、本実施の形態４によれば、タグ（１００）にボタン１（１１１）のみを備える構成で、押下時間により、割付・割付解除指令を行うとともに、押下回数が奇数の場合に通信対象のアンテナの割付制御、押下回数が偶数の場合に通信対象のアンテナの割付解除制御をおこなうようにしたので、実施の形態１〜４に比べて簡単な構成で実施の形態３と同様の効果を奏する。
【００８９】
実施の形態５
上記実施の形態１−４では、タグ（１００）に少なくとも１つのボタン１（１１１）を有する構成を示したが、タッチパネル（１１３）を備え、複数のタッチパネル操作パターンにより、割付・割付解除指令や照明オンオフ指令を行うように構成しても良い。このように構成した実施の形態５を以下、図７及び図８を用いて説明する。なお、説明が重複する部分は適宜省略する。
【００９０】
図７、この発明の実施の形態６における動態管理システムの一構成を示すものである。図７において、実施の形態１との違いは、タグ（１００）のボタン１（１１１）、ボタン（１１２）の代わりに複数のタッチパネルパターンが入力可能なタッチパネル（１１３）を備えている点である。
【００９１】
次に、この発明の実施の形態５における動作について図８を用いて説明する。
【００９２】
図８において、Ｓ３５では、タッチパネル（１１３）の操作がされたかを判定し、操作された場合はＳ３６に進み、操作されなかった場合は処理を終了する。
【００９３】
Ｓ３６では、入力部（１１０）において、タッチパネル操作認識がパターン１かを判定し、パターン１と判定されればＳ３に、判定されなければＳ３９に進む。
【００９４】
Ｓ３は実施の形態１と同じであるため説明を省略する。
【００９５】
Ｓ３７では、入力部（１１０）において、タッチパネル操作認識がパターン２かを判定し、パターン２と判定されればＳ５に、判定されなければＳ３８に進む。
【００９６】
Ｓ５からＳ９については、実施の形態１と同じであるため説明を省略する。
【００９７】
Ｓ３８では、入力部（１１０）において、タッチパネル操作認識がパターン３かを判定し、パターン３と判定されればＳ１１に進み、判定されなければ処理を終了する。
【００９８】
Ｓ１１からＳ１５については、実施の形態１と同じであるため説明を省略する。
【００９９】
Ｓ３９では入力部（１１０）において、タッチパネル操作認識がパターン２かを判定し、パターン２と判定されればＳ１７に、判定されなければＳ４０に進む。
【０１００】
Ｓ１７からＳ２１については、実施の形態１と同じであるため説明を省略する。
【０１０１】
Ｓ４０では入力部（１１０）において、タッチパネル操作認識がパターン３かを判定し、パターン３と判定されればＳ２３に進み、判定されなければ処理を終了する。
【０１０２】
Ｓ２３からＳ２７については、実施の形態１と同じであるため説明を省略する。
【０１０３】
以上の様に、本実施の形態５によれば、タグ（１００）にタッチパネル（１１３）を備え、複数のタッチパネル操作パターンにより、割付・割付解除指令を行うように構成したので、実施の形態４と同様の効果を奏する。また、タッチパネルであるため、操作パターンを利用者の好みのものとすることができる。
【０１０４】
なお、上記実施の形態は一例を挙げたに過ぎず、例えば互いに組合せを行うなど種々の変形例が考えられるが、それらについても本発明と同じ効果を奏するものと考えられる。
【０１０５】
その他、順番を入れ替えたり、構成の一部を変形したり、また省略たりしても良く、本実施の形態と同様の効果を奏するものと考えられる。
【産業上の利用可能性】
【０１０６】
本発明は、ＲＦＩＤタグを用いた動態管理システムに適用することができる。
【符号の説明】
【０１０７】
１００  タグ  １１０  入力部  １１１  ボタン１  １１２  ボタン２  １１３  タッチパネル  １２０  指令生成部  １２１  入力判定部  １２２  モード切替部  １２３  割付指令生成部  １２４  照明指令生成部  １３０  送信部  ２００  ２３０  ２６０  アンテナ  ２１０  ２４０  ２７０  通信可能な在圏範囲  ２２０  ２５０  ２８０  読取部  ３００  制御部  ３１０  認証部  ３２０  指令抽出部  ３２１  照明オン指令抽出部  ３２２照明オフ指令抽出部  ３２３  割付指令抽出部  ３２４  割付解除指令抽出部  ３３０  アンテナ割付制御部  ３３１  割付制御部  ３３２  割付解除制御部  ３４０  照明制御部  ３４１  照明オン制御部  ３４２  照明オフ制御部  ４００ａ  ４００ｂ  ４００ｃ  ４００ｄ  ４００ｅ  ４００ｆ  ４００ｇ  ４００ｈ  照明
【図１】
2015088345.tif 000003
【図２】
2015088345.tif 000004
【図３】
2015088345.tif 000005
【図４】
2015088345.tif 000006
【図５】
2015088345.tif 000007
【図６】
2015088345.tif 000008
【図７】
2015088345.tif 000009
【図８】
2015088345.tif 000010